(57)【要約】      （修正有）【課題】参拝者が必要によって骨つぼを容易に見ることができ、霊標の設置に特別な空間を要せず、更には霊標に豪華さや威厳を付与することを可とする先祖供養墓を提供する。【解決手段】五輪塔１又は角柱型の和墓の上台石７の前面の一部を開放した納骨室８又は下台石１１の下部に設けた地上納骨室８の前面に観音開き構造の扉１０を設けると共に、当該納骨室８の両側面と後面には多数の短冊型の霊標板２２を着脱自在に装着する。従って、参拝者は納骨室８の扉を開き骨つぼを直接拝むことができる。また霊標を複数の短冊形の該霊標板２２として納骨室８の両側面と後面に取り付けてあるので、墓石の横に霊標を立てる場所が必要なく、また霊標板２２は屋根２４の前端部を持ち上げるようにして引き出せば、簡単に抜き取ることができる。石材製の霊標板２２の場合は従来の霊標板２２と同じでよいが、茶色、黒色等の石材を用いて変化を付与するなど意匠をほどこすこともできる。【選択図】図１
0003146640.tif 000002
【実用新案登録請求の範囲】
【請求項１】
五輪塔又は角柱型の和墓の上台石の前面の一部を開放した納骨室又は下台石の下部に設けた地上納骨室の前面に観音開き構造の扉を設けると共に、当該納骨室の両側面と後面には多数の短冊型の霊標板を着脱自在に装着してなる先祖供養墓。
【請求項２】
上台石の四隅に柱を立設し、当該柱には相対する柱側に向けて溝を設けると共に、下台石の上面には、上台石の両側面及び後面に沿って適宜の深さの溝を設け、複数個立設される霊標板の両外側の板は、一側面を柱の溝に嵌合し下端部を下台石の溝に嵌合すべく構成すると共に、その他の霊標板は下端部を下台石の溝に挿入し、上端部を屋根の下面に形成した溝に挿入する。当該屋根は、地輪の下端部に設けた溝に後端を遊嵌し、下面に設けた浅い溝に霊標板の上端を嵌合し、更に下面先端より若干内方に形成した係止部にて柱の上端を係止すべく構成したことを特徴とする請求項１の先祖供養墓。
【請求項３】
上台石の下端部に設けた溝と、当該溝に遊嵌する屋根の一端上面との間隙αは、屋根の下面に形成した浅い溝の深さβより大としたことを特徴とする請求項１及び請求項２の先祖供養墓。
【請求項４】
複数の霊標板を保持する柱は、下面にピン穴を穿ち、下台石の上面に穿ったピン穴とにピンを嵌合して固定すべく構成すると共に、柱の上面は屋根の下面に設けた係止部にて係止すべく構成したことを特徴とする請求項１及び請求項２の先祖供養墓。
【請求項５】
前記霊標板が短冊形の石板体であることを特徴とする請求項１及び請求項２の先祖供養墓。
【請求項６】
前記霊標板が短冊形の陶磁器製の板体であることを特徴とする請求項１及び請求項２の先祖供養墓。
【請求項７】
前記霊標板が短冊形のクリスタルガラス又は強化ガラスの板体であることを特徴とする請求項１及び請求項２の先祖供養墓。
【請求項８】
前記納骨室の両側面と後面には、仏を敬い、且つ慈しみ得る仏画或いは絵画を刻設し、その表面に、クリスタルガラス又は強化ガラスからなる多数の短冊型の霊標板を着脱自在に装着したことを特徴とする請求項１及び請求項２の先祖供養墓。
【請求項９】
観音開き構造の二枚の扉は陶磁器製とし、それぞれの扉の表面には家紋を表現してなる請求項１の先祖供養墓。
【請求項１０】
観音開き構造の二枚の扉は石材製とし、それぞれの扉の表面には陶磁器製の板体にて成形した家紋を装着したことを特徴とする請求項１の先祖供養墓。
【請求項１１】
五輪塔型の墓において、観音開き構造の扉の押え板は陶磁器からなる短冊型とし、当該押え板は落し込み構造とすると共に、その表面には供養墓の名称、即ち○○家之墓等を表現してなる請求項１及び請求項５及び請求項６の先祖供養墓。
【請求項１２】
五輪塔型の墓において、観音開き構造の扉の押え板は石材からなる短冊型とし、当該押え板は落し込み構造とすると共に、その表面には供養墓の名称、即ち○○家の墓等を表現してなる請求項１及び請求項５の先祖供養墓。
【考案の詳細な説明】
【技術分野】
【０００１】  本考案は、墓石、詳しくは何々家之墓とか先祖代々之墓等の改良、合わせて霊標の改良に関するものである。
【背景技術】
【０００２】  近年、墓石の横等に霊標を配設していることは周知である。当該霊標には、一枚板のものから屋根付きの枠体に短冊形の霊標板を多数庫抜差し自在に嵌着しているもの等があるが、いずれの霊標にしてもその配設場所が必用であり、狭い墓石建立場所に更に霊標を配設することは困難な場合があった。【０００３】  従来の霊標は表面を単に磨いてあるだけの板体であり、豪華さや威厳に乏しく新たなる改良が望まれている。【０００４】  近年開発された強化磁器は、通常の磁器に比べて、αアルミナ粒子を加え強度を大きくしたものである。アルミナは化学的に安定していて酸やアルカリに極めて溶け難い性質を持ち、通常磁器と同様に溶出問題に対しては安全性の高い素材であり、しかも強度磁器製品は表面に釉薬が掛けられ、高温で焼かれた非常に強固なガラス質が形成されている。また当該強化磁器は通常の磁器にアルミナを多く加えて強度を増しているので通常の磁器に比べても約３倍の強度があり、また、衝撃に強く表面劣化が起こりにくいこととも相まって相当期間の使用にも十分耐えられる。【０００５】  一方、骨つぼは従来から単なる陶磁器製の容器で、骨つぼ自体に仏を敬うという配慮はなかったが、出願人はそのような問題に考慮して、多種多様の骨つぼを開発し、また出願もしている。悠久の寝所といわれる骨つぼを、ユーザーは生前に購入しておくものであるが、従来の骨つぼとは異なり、優美であり、また仏を敬うことのできる骨つぼを墓の納骨室内に収めてしまい、納骨以後は当該骨つぼを見ることによって故人を偲ぶことができないということに問題があった。
【考案の開示】
【考案が解決しようとする課題】
【０００６】  解決しようとする問題点は、参拝者が必要によって骨つぼを容易に見ることができること、霊標の設置場所等を考慮すること、更には霊標に豪華さや威厳を付与すること、これが考案が解決しようとする課題である。
【課題を解決するための手段】
【０００７】  墓石を単なる何々家の墓とか先祖代々の墓とするのではなく、参拝者が必要によって骨つぼを容易に見ることができ、しかも従来の霊標とは異なる新規なる霊標を勘案し、霊標単体としての設置場所を必要としないと同時に霊標に威厳と豪華さを付与するようにすること、これらが課題を解決するための手段である。
【考案の効果】
【０００８】  本考案は、五輪塔または角柱型の和墓の上台石の前面の一部を開放した納骨室または下台石の下部に設けた地上納骨室の前面に観音開き構造の扉を設けると共に、当該納骨室の両側面と後面には多数の短冊型の霊標板を着脱自在に装着してなる先祖供養墓であるから、参拝者は納骨室の扉を開き骨つぼを直接拝むことができる。しかも、従来は霊標は単体で墓石の横などに立てていたが、当該霊標を複数の短冊形として納骨室の両側面と後面に取り付けてあるので、墓石の横に霊標を立てる場所が必要なく、また霊標板は屋根の前端部を持ち上げるようにして引き出せば、簡単に抜き取ることができる。しかも、陶磁器製の霊標板の場合は霊標板に彩色しておくことができ、また納骨室の両横及び後面に、仏を敬い、且つ慈しみ得る仏画或いは絵画を刻設し、その表面に、クリスタルガラス又は強化ガラスからなる多数の短冊型の霊標板を装着しているので、クリスタルガラス等の霊標板に戒名、俗名、没年月日等を刻設しても、その内側に表現されている仏画等は鮮明に見ることができて、霊標が一段と豪華に威厳をもつたものとすることができる。また観音扉を陶磁器製として家紋等を入れたり、石の扉に陶磁器製の家紋を装着しているので優美である。また墓石そのものを五輪塔型とした場合は、五輪塔の地輪には梵字以外に何も記さないことが望ましいため、観音扉の押え板に○○家之墓等の焼付けをすることができる。等、極めて顕著なる効果を有するものである。
【考案を実施するための最良の形態】
【０００９】  本考案は、五輪塔又は角柱型の和墓の上台石の前面の一部を開放した納骨室又は下台石の下部に設けた地上納骨室の前面に観音開き構造の扉を設けると共に、当該納骨室の両側面と後面には多数の短冊型の霊標板を着脱自在に装着してなる先祖供養墓であり、更には、上台石の四隅に柱を立設し、当該柱には相対する柱側に向けて溝を設けると共に、下台石の上面には、上台石の両側面及び後面に沿って適宜の深さの溝を設け、複数個立設される霊標板の両外側の板は、一側面を柱の溝に嵌合し下端部を下台石の溝に嵌合すべく構成すると共に、その他の霊標板は下端部を下台石の溝に挿入し、上端部を屋根の下面に形成した溝に挿入する。当該屋根は、地輪の下端部に設けた溝に後端を遊嵌し、下面に設けた浅い溝に霊標板の上端を嵌合し、更に下面先端より若干内方に形成した係止部にて柱の上端を係止すべく構成したことを特徴とする請求項１の先祖供養墓であり、更には、地輪の下端部に設けた溝と、当該溝に遊嵌する屋根の一端上面との間隙αは、屋根の下面に形成した浅い溝の深さβより大としたことを特徴とする請求項１及び請求項２の先祖供養墓であり、更には、複数の霊標板を保持する柱は、下面にピン穴を穿ち、下台石の上面に穿ったピン穴とにピンを嵌合して固定すべく構成すると共に、柱の上面は屋根の下面に設けた係止部にて係止すべく構成したことを特徴とする請求項１及び請求項２の先祖供養墓であり、更には、前記霊標板が短冊形の石板体であることを特徴とする請求項１及び請求項２の先祖供養墓であり、更には、前記霊標板が短冊形の陶磁器製の板体であることを特徴とする請求項１及び請求項２の先祖供養墓であり、更には、前記霊標板が短冊形のクリスタルガラス又は強化ガラスの板体であることを特徴とする請求項１及び請求項２の先祖供養墓であり、更には、前記上台石に設けた納骨室の両側面と後面には、仏を敬い、且つ慈しみ得る仏画或いは絵画を刻設し、その表面に、クリスタルガラス又は強化ガラスからなる多数の短冊型の霊標板を着脱自在に装着したことを特徴とする請求項１及び請求項２の先祖供養墓であり、更には、観音開き構造の二枚の扉は陶磁器製とし、それぞれの扉の表面には家紋を表現してなる請求項１の先祖供養墓であり、更には、観音開き構造の二枚の扉は石材製とし、それぞれの扉の表面には陶磁器製の板体にて成形した家紋を装着したことを特徴とする請求項１の先祖供養墓であり、更には、五輪塔型の墓において、観音開き構造の扉の押え板は陶磁器からなる短冊型とし、当該押え板は落し込み構造とすると共に、その表面には供養墓の名称、即ち○○家之墓等を表現してなる請求項１及び請求項５及び請求項６の先祖供養墓であり、更には、五輪塔型の墓において、観音開き構造の扉の押え板は石材からなる短冊型とし、当該押え板は落し込み構造とすると共に、その表面には供養墓の名称、即ち○○家の墓等を表現してなる請求項１及び請求項５の先祖供養墓を呈せんとするものである。
【実施例１】
【００１０】  本実施例においては五輪塔型墓石について説明する。１は五輪塔型墓石であり、上から空輪２、風輪３、火輪４、水輪５、地輪６となっている。空輪２と風輪３は一石にて成形し、その他の火輪４、水輪５、地輪６は夫々三石に分けて成形される。上台石７の前面の一部から下面にかけて略逆Ｌ字上にくり貫いて空間部を形成し、当該空間部を納骨室８としている。【００１１】  納骨室８には、開閉自在に観音扉１０を設けている。当該観音扉１０は通常墓石の納骨室等に用いられる観音扉構造でよく、図３に示すように納骨室８の天井下面の左右と、それに相対した、下台石１１の上面に枢支部１３を設け、当該枢支部１３を支点にそれぞれの扉９、９が外方向に擺動し開くように構成している。３０は骨つぼである。【００１２】  前記観音扉１０の扉９を陶磁器製とし、扉の表面に家紋１６を表現している。当該扉９については、扉９を石材製とし、その表面に陶磁器製の家紋１６を装着することもできる。【００１３】  １２は石材又は陶磁器からなる観音扉１０の押え板で、納骨室天井の中央前方下面に当該押え板１２が遊嵌し得るやや深い角穴１４を設け、当該角穴１４に相対する下台石の上面にも同じく角穴１５を設けている。この角穴１５は上の角穴１４より浅くしている。押え方法としては、観音扉１０を閉めて、押え板１２の上端を上の角穴１４に差込み、次いで押え板１２の下端を下の角穴１５にあてがい、当該下端を下の角穴１５に落し込んで観音扉１０を押えるように構成している。【００１４】  押え板１２の表面には、○○家之墓等を記している。これは五輪塔の地輪６の前面に記すことも可能であるが、五輪塔１には梵字のみが好ましい。【００１５】  霊標１７は、上台石７の四隅に柱１８を立設し、当該柱１８には相対する柱側に向けて溝１９を設けると共に、下台石１１の上面には上台石７の両側面及び後面に沿って適宜の深さの溝２３を設け、複数個立設される霊標板２２の両外側の板は、一側面を柱１８の溝１９に嵌合し下端部を下台石１１の溝２３に嵌合すべく構成すると共に、その他の霊標板２２は下端部を下台石１１の溝２３に挿入し、上端部を屋根の下面に形成した溝２５に挿入する。当該屋根２４は、地輪６の下端部に設けた溝２１に後端を遊嵌し、下面に設けた浅い溝２５に霊標板２２の上端を嵌合し、更に下面先端より若干内方に形成した係止部２６にて柱１８の上端を係止すべく構成している。この際、地輪６の下端部に設けた溝２１と、当該溝２１に遊嵌する屋根２４の後端部上面との間隙αは、屋根２４の下面に形成した浅い溝２５の深さβより大としている。柱１８は下端部を下台石１１とピン２０により固定している。【００１６】  前記霊標板２２としては、石材製又は陶磁器製又はクリスタルガラス製又は強化ガラス製としている。石材からなる霊標板２２の場合、通常のみかげ石だけでなく、黒色、茶色等の石材を使用することもできる。陶磁器製の霊標板２２には好みの彩色を施し、その上に戒名、俗名、没年月日等を転写にて焼き付けている。【００１７】  前記上台石７または下台石１１の下方に設けた納骨室８の両側面と後面には、仏を敬い、且つ慈しみ得る仏画或いは絵画２７を刻設し、その表面に、クリスタルガラス又は強化ガラ���からなる多数の短冊型の霊標板２２を着脱自在に装着している。当該霊標板２２にはサンドブラスト工法等により戒名等を刻設するが、その際、霊標板２２の裏面に鏡文字で戒名等を刻設すれば彫り込んだ文字に埃がたまって汚れる等の憂いはない。【００１８】  下台石１１に、後面の一部を開放した収納庫を設け、当該収納庫には開閉自在の扉２８を設けると共に、収納庫には、古い霊標板を収納すべく構成している。図示はしていないが、下台石１１は一枚板で内部を刳り貫いて収納庫を形成しても良く、また組み立て型の側壁に天板を載置する構造でもよい。２９は基台である。尚、本考案実施例においては五輪塔型墓石としているが角柱型の墓石においても同じであり、また地上納骨室タイプの納骨室においても同じである。
【産業上の利用可能性】
【００１９】  本考案は、五輪塔１又は角柱型の和墓の上台石７の前面の一部を開放した納骨室８又は下台石１１の下部に設けた地上納骨室８の前面に観音開き構造の扉１０を設けると共に、当該納骨室８の両側面と後面には多数の短冊型の霊標板２２を着脱自在に装着してなる先祖供養墓であるから、参拝者は納骨室８の扉９を開き骨つぼを直接拝むことができる。しかも、従来は霊標は単体で墓石の横などに立てていたが、当該霊標１７を複数の短冊形として納骨室８の両側面と後面に取り付けてあるので、墓石の横に霊標を立てる場所が必要なく、また霊標板２２は屋根２４の前端部を持ち上げるようにして引き出せば、簡単に抜き取ることができる。石材製の霊標板２２の場合は従来の霊標板２２と同じでよいが、茶色、黒色等の石材を用いて変化を付与してもよく、また、陶磁器製の霊標板２２の場合は霊標板２２に彩色しておくことができ、また納骨室８の両横及び後面に、仏を敬い、且つ慈しみ得る仏画或いは絵画２７を刻設し、その表面に、クリスタルガラス又は強化ガラスからなる多数の短冊型の霊標板２２を装着しているので、クリスタルガラス等の霊標板２２に戒名、俗名、没年月日等を刻設しても、その内側に表現されている仏画等は鮮明に見ることができて、霊標が一段と豪華に威厳をもったものとなり、極めて厳かであり且つ優美である。また観音扉１０を陶磁器製として家紋等を入れたり、石の扉に陶磁器製の家紋を装着しているので優美である。また墓石そのものを五輪塔型とした場合は、五輪塔の地輪には梵字以外に何も記さないことが望ましいため、観音扉の押え板に○○家之墓等を記すことができる。また現在では、石の加工技術も進み、昔の手加工で造っていた時代から見ると普通の角柱型の墓標との価格差もなくなっている等、製造面においても容易であり、産業上での利用可能性は極めて大きいものがある。
【図面の簡単な説明】
【００２０】
【図１】  五輪塔型墓石の正面図
【図２】  五輪塔型墓石の背面図
【図３】  納骨室部分の断側面図
【図４】  納骨室部分の断平面図
【図５】  霊標板の押え構造を示す拡大断側面図
【符号の説明】
【００２１】  １  五輪塔型墓石
２  空輪
３  風輪
４  火輪
５  水輪
６  地輪
７  上台石
８  納骨室
９  扉
１０  観音扉
１１  下台石
１２  押え板
１３  枢支部
１４  上台石の角穴
１５  下台石の各穴
１６  家紋
１７  霊標
１８  柱
１９  柱の溝
２０  ピン
２１  地輪下部の溝
２２  霊標板
２３  下台石の溝
２４  屋根
２５  屋根下面の溝
２６  係止部
２７  仏画等
２８  下台石の扉
２９  基台
３０  骨つぼ
α  屋根の上面と溝の間隙
β  屋根下面の溝深さ
【図１】
0003146640.tif 000003
【図２】
0003146640.tif 000004
【図３】
0003146640.tif 000005
【図４】
0003146640.tif 000006
【図５】
0003146640.tif 000007
【手続補正書】
【提出日】平成20年6月20日(2008.6.20)
【手続補正１】
【補正対象書類名】実用新案登録請求の範囲
【補正対象項目名】全文
【補正方法】変更
【補正の内容】
【実用新案登録請求の範囲】
【請求項１】
五輪塔または角柱型の和墓の上台石に、前面の一部を開放した納骨室を設け、当該納骨室に観音開き構造の扉を設けると共に、上台石の両側面と後面には多数の短冊型の霊標板を着脱自在に装着してなる先祖供養墓。
【請求項２】
上台石の四隅に柱を立設し、当該柱には相対する柱側に向けて溝を設けると共に、下台石の上面には、上台石の両側面及び後面に沿って適宜の探さの溝を設け、複数個立設される霊標板の両外側の板は、一側面を柱の溝に嵌合し下端部を下台石の溝に嵌合すべく構成すると共に、その他の霊標板は下端部を下台石の溝に挿入し、上端部を屋根の下面に形成した溝に挿入すべく構成し、当該屋根は、地輪の下端部に設けた溝に後端を遊嵌し、下面に設けた浅い溝に霊標板の上端を嵌合し、更に下面先端より若干内方に形成した係止部にて柱の上端を係止すべく構成したことを特徴とする請求項１の先祖供養墓。
【請求項３】
上台石の下端部に設けた溝と、当該溝に遊嵌する屋根の一端上面との間隙αは、屋根の下面に形成した浅い溝の深さβより大としたことを特徴とする請求項１及び請求項２に記載の先祖供養墓。
【請求項４】
複数の霊標板を保持する柱は、下面にピン穴を穿ち、下台石の上面に穿ったピン穴とにピンを嵌合して固定すべく構成すると共に、柱の上面は屋根の下面に設けた係止部にて係止すべく構成したことを特徴とする請求項１及び請求項２に記載の先祖供養墓。
【請求項５】
前記霊標板が短冊形の陶磁器製の板体であることを特徴とする請求項１及び請求項２に記載の先祖供養墓。
【請求項６】
前記霊標板が短冊形のクリスタルガラス又は強化ガラスの板体であることを特徴とする請求項１及び請求項２に記載の先祖供養墓。
【請求項７】
前記上台石に設けた納骨室の両側面と後面には、仏を敬い、且つ慈しみ得る仏画或いは絵画を刻設し、その表面に、クリスタルガラス又は強化ガラスからなる多数の短冊型の霊標板を着脱自在に装着したことを特徴とする請求項１及び請求項２に記載の先祖供養墓。
【請求項８】
観音開き構造の二枚の扉は陶磁器製とし、それぞれの扉の表面には家紋を表現してなる請求項１の先祖供養墓。
【請求項９】
観音開き構造の二枚の扉は石材製とし、それぞれの扉の表面には陶磁器製の板体にて成形した家紋を装着したことを特徴とする請求項１の先祖供養墓。
【請求項１０】
五輪塔型の墓において、観音開き構造の扉の押え板は陶磁器からなる短冊型とし、当該押え板は落し込み構造とすると共に、その表面には供養墓の名称、即ち○○家之墓等を表現してなる請求項１、請求項５、請求項６のいずれかに記載の先祖供養墓。
【請求項１１】
五輪塔型の墓において、観音開き構造の扉の押え板は石材からなる短冊型とし、当該押え板は落し込み構造とすると共に、その表面には供養墓の名称、即ち○○家の墓等を表現してなる請求項１及び請求項５に記載の先祖供養墓。
【請求項１２】
下台石に、後面の一部を開放した収納庫を設け、当該収納庫には開閉自在の扉を設けると共に、収納庫には、古い霊標板を収納すべく構成してなる請求項１の先祖供養墓。
【手続補正書】
【提出日】平成20年8月22日(2008.8.22)
【手続補正１】
【補正対象書類名】実用新案登録請求の範囲
【補正対象項目名】全文
【補正方法】変更
【補正の内容】
【実用新案登録請求の範囲】
【請求項１】
五輪塔又は角柱型の和墓の上台石に、前面の一部を開放した納骨室を設け、当該納骨室に観音開き構造の扉を設けると共に、上台石の両側面と後面には多数の短冊型の霊標板を着脱自在に装着してなる先祖供養墓。
【請求項２】
上台石の四隅に柱を立設し、当該柱には相対する柱側に向けて溝を設けると共に、下台石の上面には、上台石の両側面及び後面に沿って適宜の深さの溝を設け、複数個立設される霊標板の両外側の板は、一側面を柱の溝に嵌合し下端部を下台石の溝に嵌合すべく構成すると共に、その他の霊標板は下端部を下台石の溝に挿入し、上端部を屋根の下面に形成した溝に挿入すべく構成し、当該屋根は、地輪の下端部に設けた溝に後端を遊嵌し、下面に設けた浅い溝に霊標板の上端を嵌合し、更に下面先端より若干内方に形成した係止部にて柱の上端を係止すべく構成したことを特徴とする請求項１の先祖供養墓。
【請求項３】
上台石の下端部に設けた溝と、当該溝に遊嵌する屋根の一端上面との間隙αは、屋根の下面に形成した浅い溝の深さβより大としたことを特徴とする請求項１又は請求項２に記載の先祖供養墓。
【請求項４】
複数の霊標板を保持する柱は、下面にピン穴を穿ち、下台石の上面に穿ったピン穴とにピンを嵌合して固定すべく構成すると共に、柱の上面は屋根の下面に設けた係止部にて係止すべく構成したことを特徴とする請求項１又は請求項２に記載の先祖供養墓。
【請求項５】
前記霊標板が短冊形の陶磁器製の板体であることを特徴とする請求項１又は請求項２に記載の先祖供養墓。
【請求項６】
前記霊標板が短冊形のクリスタルガラス又は強化ガラスの板体であることを特徴とする請求項１又は請求項２に記載の先祖供養墓。
【請求項７】
前記納骨室の両側面と後面には、仏を敬い、且つ慈しみ得る仏画或いは絵画を刻設し、その表面に、クリスタルガラス又は強化ガラスからなる多数の短冊型の霊標板を着脱自在に装着したことを特徴とする請求項１又は請求項２に記載の先祖供養墓。
【請求項８】
観音開き構造の二枚の扉は陶磁器製とし、それぞれの扉の表面には家紋を表現してなる請求項１の先祖供養墓。
【請求項９】
観音開き構造の二枚の扉は石材製とし、それぞれの扉の表面には陶磁器製の板体にて成形した家紋を装着したことを特徴とする請求項１の先祖供養墓。
【請求項１０】
五輪塔型の墓において、観音開き構造の扉の押え板は陶磁器からなる短冊型とし、当該押え板は落し込み構造とすると共に、その表面には供養墓の名称、即ち○○家之墓等を表現してなる請求項１、請求項５、請求項６のいずれかに記載の先祖供養墓。
【請求項１１】
五輪塔型の墓において、観音開き構造の扉の押え板は石材からなる短冊型とし、当該押え板は落し込み構造とすると共に、その表面には供養墓の名称、即ち○○家の墓等を表現してなる請求項１又は請求項５に記載の先祖供養墓。
【請求項１２】
下台石に、後面の一部を開放した収納庫を設け、当該収納庫には開閉自在の扉を設けると共に、収納庫には、古い霊標板を収納すべく構成してなる請求項１の先祖供養墓。